(57)【特許請求の範囲】
【請求項１】
電子印鑑と、該電子印鑑の位置を読み取るタブレットと、該タブレットが接続されたクライアントコンピュータと、該クライアントコンピュータにコンピュータネットワークを介して接続された電子印鑑認証サーバと、該電子印鑑認証サーバにて押印の当否を認証する押印文書を管理する文書管理サーバとを有し、電子押印文書を作成・管理する押印文書作成管理システムであって、
前記電子印鑑は、
前記タブレット上で座標を指示する座標指示装置と、
個々の電子印鑑を識別可能なＩＤ番号が組み込まれた内蔵ＩＣチップと、
押印時にクリックする押印ボタンと、
朱肉を付け通常の印鑑のように紙への押印もできる押印面と
を有し、
前記タブレットは、
前記電子印鑑の位置を読み取る位置読取手段と、
前記電子印鑑の前記内蔵ＩＣチップに組み込まれたＩＤ番号を読み取るＩＤ番号読取手段と、
前記電子印鑑の押印ボタンがクリックされたことを検知する押印ボタンクリック検知手段と
を有し、
前記クライアントコンピュータのうち、前記押印文書を作成する者が用いるクライアントコンピュータは、
前記電子印鑑認証サーバに問い合わせて押印文書作成許可を取得するログイン手段と、
用紙サイズの選択・カバーページの有無・有効期間・帳票形式・パスワードの設定に関する基本設定と、サーバーコンピュータの特定・会社名・アプリケーション名・自動採番・押印の同期に関するサーバー設定とを実行する初期設定手段と、
文書のタイトル・項目名のテキストを入力・編集するテキスト作成手段、多角形・円・楕円・直線を含む図形を作図する図形作成手段、図形としての押印枠を作成するとともに承認ルート・押印順序を設定しその情報を管理する押印枠のプロパティ情報をも作成する押印欄作成手段、テキスト・図形・押印枠のレイアウトを調整するレイアウト調整手段を備えタイトル・罫線・押印枠を作成するテンプレート作成手段と、
前記電子印鑑認証サーバ・文書管理サーバの情報を参照してワークフローに関する情報を生成し前記押印欄作成手段と協働して前記押印枠のプロパティ情報を設定するワークフロー設定手段と、
前記テンプレート作成手段が作成した罫線・押印枠を含むテンプレートを元の文書とは切り離した独立の電子ファイルとして保存するテンプレート保存手段と、
前記テンプレート作成手段と表計算ソフト・ワードプロセッサソフトの既存文書との重ね合わせを実現すべく仮想的なプリンタとしてインストールされる擬似印刷手段と、
前記電子印鑑認証サーバ・前記文書管理サーバとの通信手段と
からなる押印文書作成手段を有し、
前記クライアントコンピュータのうち、前記押印文書を承認する者が用いるクライアントコンピュータは、
押印を必要とする文書を表示する押印文書表示手段と、
前記クライアントコンピュータにつながる前記タブレット上で前記電子印鑑の押印ボタンをクリックするイベントを取得する押印イベント取得手段と、
前記電子印鑑認証サーバが持っている印影情報を取得し、それに基づいて前記クライアントコンピュータの押印文書に印影を表示する印影表示手段と、
前記電子印鑑ＩＤを公開鍵を用いて暗号化してやりとりし、押印履歴情報・印影情報を前記クライアントコンピュータと前記電子印鑑認証サーバとの間でやり取りする電子印鑑認証サーバとの通信手段と
からなる押印文書閲覧手段を有し、
前記電子印鑑認証サーバは、
このシステムを使用する者のうち、自分の組織に属するものの会社名・部署・名前・役職・電話・メールアドレス・有効期限・パスワードを含むマスタ情報を登録するユーザマスタと、押印権限に関する情報・組織内の決められた手続にしたがって回覧・押印する流れであるワークフローに関する情報・回覧順に関する情報を登録するアプリケーションマスタとを備えたデータベース部と、
サーバにアクセスする権限を有する者のみがアクセスし設定することができる部分であるサーバ設定管理部と、
電子印鑑ＩＤ番号と印影情報とを登録して管理する電子印鑑登録管理部と、
前記クライアントコンピュータから受信した電子印鑑ＩＤ番号とサーバに登録されている電子印鑑ＩＤ番号及びマスタ情報と一致しているか否かを照合し、一致していれば会社コード・ユーザコード・サーバ番号・会社名・ユーザ名・認証種・受付日・受付時刻を含む情報である認証履歴をサーバへ書込み、前記クライアントコンピュータには押印許可を与え登録印影を送信する電子印鑑認証部と
を有し、
前記文書管理サーバは、
押印文書を様々な情報と関連付けて管理する文書管理データベースと、
押印文書に押印すべき社内のワークフローがどこまで進んでいるかを管理する押印状況管理手段と、
次の押印すべき者に押印文書をメールに添付して送る電子メール配信手段と、
イントラネット又はインターネットを介して他のコンピュータと通信する通信手段と
を有し、
前記押印文書を作成する者が用いるクライアントコンピュータが有する押印文書作成手段の初期設定手段により、サーバ設定画面で押印の同期のチェックボタンをクリックしてＯＫボタンをクリックして設定を確定すると、各クライアントパソコンにて文書を開いたとき、文書番号をたよりに前記文書管理サーバと同じ押印になるようにクライアントコンピュータ側の電子押印文書にも印影を書き込む処理を実行し、
押印文書の初期設定において押印の同期が選択されていない場合には、前記押印文書閲覧手段が前記文書管理サーバへ印鑑情報を要求し、該文書管理サーバはそこに保存している押印文書において押印されている印鑑ＩＤ及び押印の受付番号をＣＳＶ形式でクライアントコンピュータに返し、クライアントコンピュータは当該押印文書に受領コードを書き込み、対応する電子印鑑の印影情報を前記電子印鑑認証サーバに要求し、該電子印鑑認証サーバは対応する印影情報をクライアントコンピュータに渡すと、クライアントコンピュータはそれを取得し押印文書にその印影を書き込むこと
を特徴とする押印文書作成管理システム。
【発明の詳細な説明】
【技術分野】
【０００１】
本発明は、既存電子文書を有効活用して押印文書を作成し、それを管理するシステム及び方法に関する。
【背景技術】
【０００２】
従来の電子印鑑認証システムでは、押印モジュールを組み込んだ専用の電子文書を作成しなければならなかった。
【０００３】
そのため、電子印鑑を活用するまでの準備構成が必要で、既存の電子文書の資産を有効活用できなかった。
【０００４】
特許文献１には、表示装置の画面に表示された複合文書についてその任意の断面でデータ領域の階層構造をパターン化して表示可能とし、また表示された階層構造のパターン上で任意の階層のデータ領域を編集操作対象として選択可能にする複合文書編集方法及び装置が開示されている。
特許文献２には、少なくとも一つのレイヤを含んでなる文書ファイルを各利用者ごとに設けられた利用者側装置を用いて回覧するための文書処理システムであって、利用者側装置が当該回覧対象の文書ファイルを受信して表示し、書き込みの支持を受けると文書ファイル内に新規のレイヤを生成し、書き込まれた文書要素を当該生成したレイヤに書き直し、当該レイヤに格納された文書要素の閲覧又は編集に関連する属性を設計する文書処理システムが開示されている。
【特許文献１】特開平８−１６１５１９号公報
【特許文献２】特開２００４−４６４１４号公報
【発明の開示】
【発明が解決しようとする課題】
【０００５】
本発明が解決しようとする課題は、電子押印文書を作成するにあたって既存電子文書の有効活用を図り、承認ワークフローの設定、押印の進行状況の確認が可能な押印文書作成及び管理のためのシステム及び方法を提供することにある。
【課題を解決するための手段】
【０００６】
本発明に係る押印文書作成管理システムは、電子印鑑と、該電子印鑑の位置を読み取るタブレットと、該タブレットが接続されたクライアントコンピュータと、該クライアントコンピュータにコンピュータネットワークを介して接続された電子印鑑認証サーバと、該電子印鑑認証サーバにて押印の当否を認証する押印文書を管理する文書管理サーバとを有し、電子押印文書を作成・管理する押印文書作成管理システムであって、
前記電子印鑑は、前記タブレット上で座標を指示する座標指示装置と、個々の電子印鑑を識別可能なＩＤ番号が組み込まれた内蔵ＩＣチップと、押印時にクリックする押印ボタンと、朱肉を付け通常の印鑑のように紙への押印もできる押印面とを有し、
前記タブレットは、前記電子印鑑の位置を読み取る位置読取手段と、前記電子印鑑の前記内蔵ＩＣチップに組み込まれたＩＤ番号を読み取るＩＤ番号読取手段と、前記電子印鑑の押印ボタンがクリックされたことを検知する押印ボタンクリック検知手段とを有し、
前記クライアントコンピュータのうち、前記押印文書を作成する者が用いるクライアントコンピュータは、前記電子印鑑認証サーバに問い合わせて押印文書作成許可を取得するログイン手段と、用紙サイズの選択・カバーページの有無・有効期間・帳票形式・パスワードの設定に関する基本設定と、サーバーコンピュータの特定・会社名・アプリケーション名・自動採番・押印の同期に関するサーバー設定とを実行する初期設定手段と、文書のタイトル・項目名のテキストを入力・編集するテキスト作成手段、多角形・円・楕円・直線を含む図形を作図する図形作成手段、図形としての押印枠を作成するとともに承認ルート・押印順序を設定しその情報を管理する押印枠のプロパティ情報をも作成する押印欄作成手段、テキスト・図形・押印枠のレイアウトを調整するレイアウト調整手段を備えタイトル・罫線・押印枠を作成するテンプレート作成手段と、前記電子印鑑認証サーバ・文書管理サーバの情報を参照してワークフローに関する情報を生成し前記押印欄作成手段と協働して前記押印枠のプロパティ情報を設定するワークフロー設定手段と、前記テンプレート作成手段が作成した罫線・押印枠を含むテンプレートを元の文書とは切り離した独立の電子ファイルとして保存するテンプレート保存手段と、前記テンプレート作成手段と表計算ソフト・ワードプロセッサソフトの既存文書との重ね合わせを実現すべく仮想的なプリンタとしてインストールされる擬似印刷手段と、前記電子印鑑認証サーバ・前記文書管理サーバとの通信手段とからなる押印文書作成手段を有し、
前記クライアントコンピュータのうち、前記押印文書を承認する者が用いるクライアントコンピュータは、押印を必要とする文書を表示する押印文書表示手段と、前記クライアントコンピュータにつながる前記タブレット上で前記電子印鑑の押印ボタンをクリックするイベントを取得する押印イベント取得手段と、前記電子印鑑認証サーバが持っている印影情報を取得し、それに基づいて前記クライアントコンピュータの押印文書に印影を表示する印影表示手段と、前記電子印鑑ＩＤを公開鍵を用いて暗号化してやりとりし、押印履歴情報・印影情報を前記クライアントコンピュータと前記電子印鑑認証サーバとの間でやり取りする電子印鑑認証サーバとの通信手段とからなる押印文書閲覧手段を有し、
前記電子印鑑認証サーバは、このシステムを使用する者のうち、自分の組織に属するものの会社名・部署・名前・役職・電話・メールアドレス・有効期限・パスワードを含むマスタ情報を登録するユーザマスタと、押印権限に関する情報・組織内の決められた手続にしたがって回覧・押印する流れであるワークフローに関する情報・回覧順に関する情報を登録するアプリケーションマスタとを備えたデータベース部と、サーバにアクセスする権限を有する者のみがアクセスし設定することができる部分であるサーバ設定管理部と、電子印鑑ＩＤ番号と印影情報とを登録して管理する電子印鑑登録管理部と、前記クライアントコンピュータから受信した電子印鑑ＩＤ番号とサーバに登録されている電子印鑑ＩＤ番号及びマスタ情報と一致しているか否かを照合し、一致していれば会社コード・ユーザコード・サーバ番号・会社名・ユーザ名・認証種・受付日・受付時刻を含む情報である認証履歴をサーバへ書込み、前記クライアントコンピュータには押印許可を与え登録印影を送信する電子印鑑認証部とを有し、
前記文書管理サーバは、押印文書を様々な情報と関連付けて管理する文書管理データベースと、押印文書に押印すべき社内のワークフローがどこまで進んでいるかを管理する押印状況管理手段と、次の押印すべき者に押印文書をメールに添付して送る電子メール配信手段と、イントラネット又はインターネットを介して他のコンピュータと通信する通信手段とを有し、
前記押印文書を作成する者が用いるクライアントコンピュータが有する押印文書作成手段の初期設定手段により、サーバ設定画面で押印の同期のチェックボタンをクリックしてＯＫボタンをクリックして設定を確定すると、各クライアントパソコンにて文書を開いたとき、文書番号をたよりに前記文書管理サーバと同じ押印になるようにクライアントパソコン側の電子押印文書にも印影を書き込む処理を実行することを特徴とするものである。
【０００７】
請求項２に記載した押印文書作成管理システムは、電子印鑑と、該電子印鑑の位置を読み取るタブレットと、該タブレットが接続されたクライアントコンピュータと、該クライアントコンピュータにコンピュータネットワークを介して接続された電子印鑑認証サーバと、該電子印鑑認証サーバにて押印の当否を認証する押印文書を管理する文書管理サーバとを有し、電子押印文書を作成・管理する押印文書作成管理システムであって、
前記電子印鑑は、前記タブレット上で座標を指示する座標指示装置と、個々の電子印鑑を識別可能なＩＤ番号が組み込まれた内蔵ＩＣチップと、押印時にクリックする押印ボタンと、朱肉を付け通常の印鑑のように紙への押印もできる押印面とを有し、
前記タブレットは、前記電子印鑑の位置を読み取る位置読取手段と、前記電子印鑑の前記内蔵ＩＣチップに組み込まれたＩＤ番号を読み取るＩＤ番号読取手段と、前記電子印鑑の押印ボタンがクリックされたことを検知する押印ボタンクリック検知手段とを有し、
前記クライアントコンピュータのうち、前記押印文書を作成する者が用いるクライアントコンピュータは、前記電子印鑑認証サーバに問い合わせて押印文書作成許可を取得するログイン手段と、用紙サイズの選択・カバーページの有無・有効期間・帳票形式・パスワードの設定に関する基本設定と、サーバーコンピュータの特定・会社名・アプリケーション名・自動採番・押印の同期に関するサーバー設定とを実行する初期設定手段と、文書のタイトル・項目名のテキストを入力・編集するテキスト作成手段、多角形・円・楕円・直線を含む図形を作図する図形作成手段、図形としての押印枠を作成するとともに承認ルート・押印順序を設定しその情報を管理する押印枠のプロパティ情報をも作成する押印欄作成手段、テキスト・図形・押印枠のレイアウトを調整するレイアウト調整手段を備えタイトル・罫線・押印枠を作成するテンプレート作成手段と、前記電子印鑑認証サーバ・文書管理サーバの情報を参照してワークフローに関する情報を生成し前記押印欄作成手段と協働して前記押印枠のプロパティ情報を設定するワークフロー設定手段と、前記テンプレート作成手段が作成した罫線・押印枠を含むテンプレートを元の文書とは切り離した独立の電子ファイルとして保存するテンプレート保存手段と、前記テンプレート作成手段と表計算ソフト・ワードプロセッサソフトの既存文書との重ね合わせを実現すべく仮想的なプリンタとしてインストールされる擬似印刷手段と、前記電子印鑑認証サーバ・前記文書管理サーバとの通信手段とからなる押印文書作成手段を有し、
前記クライアントコンピュータのうち、前記押印文書を承認する者が用いるクライアントコンピュータは、押印を必要とする文書を表示する押印文書表示手段と、前記クライアントコンピュータにつながる前記タブレット上で前記電子印鑑の押印ボタンをクリックするイベントを取得する押印イベント取得手段と、前記電子印鑑認証サーバが持っている印影情報を取得し、それに基づいて前記クライアントコンピュータの押印文書に印影を表示する印影表示手段と、前記電子印鑑ＩＤを公開鍵を用いて暗号化してやりとりし、押印履歴情報・印影情報を前記クライアントコンピュータと前記電子印鑑認証サーバとの間でやり取りする電子印鑑認証サーバとの通信手段とからなる押印文書閲覧手段を有し、
前記電子印鑑認証サーバは、このシステムを使用する者のうち、自分の組織に属するものの会社名・部署・名前・役職・電話・メールアドレス・有効期限・パスワードを含むマスタ情報を登録するユーザマスタと、押印権限に関する情報・組織内の決められた手続にしたがって回覧・押印する流れであるワークフローに関する情報・回覧順に関する情報を登録するアプリケーションマスタとを備えたデータベース部と、サーバにアクセスする権限を有する者のみがアクセスし設定することができる部分であるサーバ設定管理部と、電子印鑑ＩＤ番号と印影情報とを登録して管理する電子印鑑登録管理部と、前記クライアントコンピュータから受信した電子印鑑ＩＤ番号とサーバに登録されている電子印鑑ＩＤ番号及びマスタ情報と一致しているか否かを照合し、一致していれば会社コード・ユーザコード・サーバ番号・会社名・ユーザ名・認証種・受付日・受付時刻を含む情報である認証履歴をサーバへ書込み、前記クライアントコンピュータには押印許可を与え登録印影を送信する電子印鑑認証部とを有し、
前記文書管理サーバは、押印文書を様々な情報と関連付けて管理する文書管理データベースと、押印文書に押印すべき社内のワークフローがどこまで進んでいるかを管理する押印状況管理手段と、次の押印すべき者に押印文書をメールに添付して送る電子メール配信手段と、イントラネット又はインターネットを介して他のコンピュータと通信する通信手段とを有し、
押印文書の初期設定において押印の同期が選択されていない場合に、押印すべき押印者が前記押印文書を承認する者が用いるクライアントコンピュータの前記押印文書閲覧手段を用いて押印手続を行おうとする際に、前記押印文書閲覧手段は他人がした押印文書手続を反映させるため前記文書管理サーバへ印鑑情報を要求し、該文書管理サーバはそこに保存している押印文書において押印されている印鑑ＩＤ及び押印の受付番号をＣＳＶ形式で前記クライアントパソコンに返し、該クライアントパソコンは当該押印文書に受領コードを書き込み、対応する電子印鑑の印影情報を前記電子印鑑認証サーバに要求し、該電子印鑑認証サーバは対応する印影情報を前記クライアントパソコンに渡し、該クライアントパソコンはそれを取得して前記押印文書にその印影を書き込むことを特徴とするものである。
【０００８】
請求項３に記載した押印文書作成管理システムは、前記いずれかの押印文書作成管理システムであって、押印者が前記押印文書閲覧手段により押印手続をする際に、前記クライアントコンピュータ接続されたタブレットから手書き線を入力することにより手書きコメントを追加した上で承認するというワークフローとすることを特徴とする。
【０００９】
請求項４に記載した押印文書作成管理システムは、前記押印文書作成管理システムであって、前記手書きコメントの追加情報についても、押印の同期と同様に同期表示を行い、押印者の一人が手書きコメントを加えると同じ押印文書が回覧されている他のユーザにもその手書きコメント追加の情報が伝わり、その押印文書を開いたときに修正された内容が表示されることを特徴とする。
【００１０】
請求項５に記載した押印文書作成管理システムは、前記押印文書作成管理システムであって、前記押印枠以外の場所に前記電子印鑑にて押印することにより訂正印として使用し、この訂正印についても前記押印の同期と同様に同期表示を行い、訂正印を押したことに関する情報が前記文書管理サーバを通じて他の押印者にも伝わることを特徴とする。
【００１１】
本発明に係る押印文書作成管理方法は、電子印鑑と、該電子印鑑の位置を読み取るタブレットと、該タブレットが接続されたクライアントコンピュータと、該クライアントコンピュータにコンピュータネットワークを介して接続された電子印鑑認証サーバと、該電子印鑑認証サーバにて押印の当否を認証する押印文書を管理する文書管理サーバとを有し、電子押印文書を作成・管理する押印文書作成管理システムであって、
前記電子印鑑は、前記タブレット上で座標を指示する座標指示装置と、個々の電子印鑑を識別可能なＩＤ番号が組み込まれた内蔵ＩＣチップと、押印時にクリックする押印ボタンと、朱肉を付け通常の印鑑のように紙への押印もできる押印面とを有し、
前記タブレットは、前記電子印鑑の位置を読み取る位置読取手段と、前記電子印鑑の前記内蔵ＩＣチップに組み込まれたＩＤ番号を読み取るＩＤ番号読取手段と、前記電子印鑑の押印ボタンがクリックされたことを検知する押印ボタンクリック検知手段とを有し、
前記クライアントコンピュータのうち、前記押印文書を作成する者が用いるクライアントコンピュータは、前記電子印鑑認証サーバに問い合わせて押印文書作成許可を取得するログイン手段と、用紙サイズの選択・カバーページの有無・有効期間・帳票形式・パスワードの設定に関する基本設定と、サーバーコンピュータの特定・会社名・アプリケーション名・自動採番・押印の同期に関するサーバー設定とを実行する初期設定手段と、文書のタイトル・項目名のテキストを入力・編集するテキスト作成手段、多角形・円・楕円・直線を含む図形を作図する図形作成手段、図形としての押印枠を作成するとともに承認ルート・押印順序を設定しその情報を管理する押印枠のプロパティ情報をも作成する押印欄作成手段、テキスト・図形・押印枠のレイアウトを調整するレイアウト調整手段を備えタイトル・罫線・押印枠を作成するテンプレート作成手段と、前記電子印鑑認証サーバ・文書管理サーバの情報を参照してワークフローに関する情報を生成し前記押印欄作成手段と協働して前記押印枠のプロパティ情報を設定するワークフロー設定手段と、前記テンプレート作成手段が作成した罫線・押印枠を含むテンプレートを元の文書とは切り離した独立の電子ファイルとして保存するテンプレート保存手段と、前記テンプレート作成手段と表計算ソフト・ワードプロセッサソフトの既存文書との重ね合わせを実現すべく仮想的なプリンタとしてインストールされる擬似印刷手段と、前記電子印鑑認証サーバ・前記文書管理サーバとの通信手段とからなる押印文書作成手段を有し、
前記クライアントコンピュータのうち、前記押印文書を承認する者が用いるクライアントコンピュータは、押印を必要とする文書を表示する押印文書表示手段と、前記クライアントコンピュータにつながる前記タブレット上で前記電子印鑑の押印ボタンをクリックするイベントを取得する押印イベント取得手段と、前記電子印鑑認証サーバが持っている印影情報を取得し、それに基づいて前記クライアントコンピュータの押印文書に印影を表示する印影表示手段と、前記電子印鑑ＩＤを公開鍵を用いて暗号化してやりとりし、押印履歴情報・印影情報を前記クライアントコンピュータと前記電子印鑑認証サーバとの間でやり取りする電子印鑑認証サーバとの通信手段とからなる押印文書閲覧手段を有し、
前記電子印鑑認証サーバは、このシステムを使用する者のうち、自分の組織に属するものの会社名・部署・名前・役職・電話・メールアドレス・有効期限・パスワードを含むマスタ情報を登録するユーザマスタと、押印権限に関する情報・組織内の決められた手続にしたがって回覧・押印する流れであるワークフローに関する情報・回覧順に関する情報を登録するアプリケーションマスタとを備えたデータベース部と、サーバにアクセスする権限を有する者のみがアクセスし設定することができる部分であるサーバ設定管理部と、電子印鑑ＩＤ番号と印影情報とを登録して管理する電子印鑑登録管理部と、前記クライアントコンピュータから受信した電子印鑑ＩＤ番号とサーバに登録されている電子印鑑ＩＤ番号及びマスタ情報と一致しているか否かを照合し、一致していれば会社コード・ユーザコード・サーバ番号・会社名・ユーザ名・認証種・受付日・受付時刻を含む情報である認証履歴をサーバへ書込み、前記クライアントコンピュータには押印許可を与え登録印影を送信する電子印鑑認証部とを有し、
前記文書管理サーバは、押印文書を様々な情報と関連付けて管理する文書管理データベースと、押印文書に押印すべき社内のワークフローがどこまで進んでいるかを管理する押印状況管理手段と、次の押印すべき者に押印文書をメールに添付して送る電子メール配信手段と、イントラネット又はインターネットを介して他のコンピュータと通信する通信手段とを有する
押印文書作成管理システムの押印文書作成管理方法であって、
前記押印文書を作成する者が用いるクライアントコンピュータが有する押印文書作成手段の初期設定手段により、サーバ設定画面で押印の同期のチェックボタンをクリックしてＯＫボタンをクリックして設定を確定する押印同期初期設定ステップと、
当該押印同期初期設定ステップにて押印の同期が選択されている押印文書を各クライアントパソコンにて開いたとき、該文書番号をたよりに前記文書管理サーバと同じ押印になるようにクライアントパソコン側の電子押印文書にも印影を書き込む処理を実行する印影書込み処理ステップとを有する。
【００１２】
請求項７に記載した押印文書作成管理方法は、電子印鑑と、該電子印鑑の位置を読み取るタブレットと、該タブレットが接続されたクライアントコンピュータと、該クライアントコンピュータにコンピュータネットワークを介して接続された電子印鑑認証サーバと、該電子印鑑認証サーバにて押印の当否を認証する押印文書を管理する文書管理サーバとを有し、電子押印文書を作成・管理する押印文書作成管理システムであって、
前記電子印鑑は、前記タブレット上で座標を指示する座標指示装置と、個々の電子印鑑を識別可能なＩＤ番号が組み込まれた内蔵ＩＣチップと、押印時にクリックする押印ボタンと、朱肉を付け通常の印鑑のように紙への押印もできる押印面とを有し、
前記タブレットは、前記電子印鑑の位置を読み取る位置読取手段と、前記電子印鑑の前記内蔵ＩＣチップに組み込まれたＩＤ番号を読み取るＩＤ番号読取手段と、前記電子印鑑の押印ボタンがクリックされたことを検知する押印ボタンクリック検知手段とを有し、
前記クライアントコンピュータのうち、前記押印文書を作成する者が用いるクライアントコンピュータは、前記電子印鑑認証サーバに問い合わせて押印文書作成許可を取得するログイン手段と、用紙サイズの選択・カバーページの有無・有効期間・帳票形式・パスワードの設定に関する基本設定と、サーバーコンピュータの特定・会社名・アプリケーション名・自動採番・押印の同期に関するサーバー設定とを実行する初期設定手段と、文書のタイトル・項目名のテキストを入力・編集するテキスト作成手段、多角形・円・楕円・直線を含む図形を作図する図形作成手段、図形としての押印枠を作成するとともに承認ルート・押印順序を設定しその情報を管理する押印枠のプロパティ情報をも作成する押印欄作成手段、テキスト・図形・押印枠のレイアウトを調整するレイアウト調整手段を備えタイトル・罫線・押印枠を作成するテンプレート作成手段と、前記電子印鑑認証サーバ・文書管理サーバの情報を参照してワークフローに関する情報を生成し前記押印欄作成手段と協働して前記押印枠のプロパティ情報を設定するワークフロー設定手段と、前記テンプレート作成手段が作成した罫線・押印枠を含むテンプレートを元の文書とは切り離した独立の電子ファイルとして保存するテンプレート保存手段と、前記テンプレート作成手段と表計算ソフト・ワードプロセッサソフトの既存文書との重ね合わせを実現すべく仮想的なプリンタとしてインストールされる擬似印刷手段と、前記電子印鑑認証サーバ・前記文書管理サーバとの通信手段とからなる押印文書作成手段を有し、
前記クライアントコンピュータのうち、前記押印文書を承認する者が用いるクライアントコンピュータは、押印を必要とする文書を表示する押印文書表示手段と、前記クライアントコンピュータにつながる前記タブレット上で前記電子印鑑の押印ボタンをクリックするイベントを取得する押印イベント取得手段と、前記電子印鑑認証サーバが持っている印影情報を取得し、それに基づいて前記クライアントコンピュータの押印文書に印影を表示する印影表示手段と、前記電子印鑑ＩＤを公開鍵を用いて暗号化してやりとりし、押印履歴情報・印影情報を前記クライアントコンピュータと前記電子印鑑認証サーバとの間でやり取りする電子印鑑認証サーバとの通信手段とからなる押印文書閲覧手段を有し、
前記電子印鑑認証サーバは、このシステムを使用する者のうち、自分の組織に属するものの会社名・部署・名前・役職・電話・メールアドレス・有効期限・パスワードを含むマスタ情報を登録するユーザマスタと、押印権限に関する情報・組織内の決められた手続にしたがって回覧・押印する流れであるワークフローに関する情報・回覧順に関する情報を登録するアプリケーションマスタとを備えたデータベース部と、サーバにアクセスする権限を有する者のみがアクセスし設定することができる部分であるサーバ設定管理部と、電子印鑑ＩＤ番号と印影情報とを登録して管理する電子印鑑登録管理部と、前記クライアントコンピュータから受信した電子印鑑ＩＤ番号とサーバに登録されている電子印鑑ＩＤ番号及びマスタ情報と一致しているか否かを照合し、一致していれば会社コード・ユーザコード・サーバ番号・会社名・ユーザ名・認証種・受付日・受付時刻を含む情報である認証履歴をサーバへ書込み、前記クライアントコンピュータには押印許可を与え登録印影を送信する電子印鑑認証部とを有し、
前記文書管理サーバは、押印文書を様々な情報と関連付けて管理する文書管理データベースと、押印文書に押印すべき社内のワークフローがどこまで進んでいるかを管理する押印状況管理手段と、次の押印すべき者に押印文書をメールに添付して送る電子メール配信手段と、イントラネット又はインターネットを介して他のコンピュータと通信する通信手段とを有する
押印文書作成管理システムにおける押印文書作成管理方法であって、
押印文書の初期設定において押印の同期が選択されていない場合に、押印すべき押印者が前記押印文書を承認する者が用いるクライアントコンピュータの前記押印文書閲覧手段を用いて押印手続を行おうとする際に、前記押印文書閲覧手段は他人がした押印文書手続を反映させるため前記文書管理サーバへ印鑑情報を要求する印鑑情報要求ステップと、
該文書管理サーバはそこに保存している押印文書において押印されている印鑑ＩＤ及び押印の受付番号をＣＳＶ形式で前記クライアントパソコンに返す印鑑ＩＤ押印受付番号引渡しステップと、
該クライアントパソコンは当該押印文書に受領コードを書き込み、対応する電子印鑑の印影情報を前記電子印鑑認証サーバに要求する印影情報要求ステップと、
該電子印鑑認証サーバは対応する印影情報を前記クライアントパソコンに渡す印影情報引渡しステップと、
該クライアントパソコンはそれを取得して前記押印文書にその印影を書き込む印影書込みステップと
を有する。
【００１３】
前記押印文書作成管理方法であって、押印者が前記押印文書閲覧手段により押印手続をする際に、前記クライアントコンピュータ接続されたタブレットから手書き線を入力することにより手書きコメントを追加した上で承認するというワークフローとすることができる。
前記押印文書作成管理方法であって、前記手書きコメントの追加情報についても、押印の同期と同様に同期表示を行い、押印者の一人が手書きコメントを加えると同じ押印文書が回覧されている他のユーザにもその手書きコメント追加の情報が伝わり、その押印文書を開いたときに修正された内容が表示されるものとすることができる。
前記押印文書作成管理方法であって、前記押印枠以外の場所に前記電子印鑑にて押印することにより訂正印として使用し、この訂正印についても前記押印の同期と同様に同期表示を行い、訂正印を押したことに関する情報が前記文書管理サーバを通じて他の押印者にも伝わることとすることができる。
【発明の効果】
【００１４】
本発明は、以上により構成されているから、既存の電子文書の有効活用をして電子押印文書を作成できる。また、サーバ上に電子押印文書を保存及び管理するので、サーバにアクセスすることにより押印手続きの進行状況を把握することが可能である。さらにサーバー側の押印状況管理部との同期を図ることにより手元にある押印文書の押印進行状況の更新が可能である。
【発明を実施するための最良の形態】
【００１５】
以下、図面を参照しつつ、本発明を実施するための最良の形態を説明する。図７は、本発明の電子印鑑認証システムのハードウェア構成を示す図である。クライアント側の構成は、電子印鑑５０とタブレット４０とパソコン３０とからなる。電子印鑑５０には、チップＩＣと座標指示装置とが組み込まれている。チップＩＣには、その電子印鑑５０のＩＤ番号が記録されている。タブレット４０は、電子印鑑５０の位置を読み取るための装置であり、ＵＳＢケーブルにてパソコン３０と繋がっており、電子印鑑５０の位置及びＩＤ番号をパソコン３０に通知するともに押印のイベント（タブレット４０の上で電子印鑑５０が押されたという情報）を通知することができるものである。電子印鑑５０をより詳細に説明したのが図９である。電子印鑑５０の内部にはタブレット４０とやりとりするのに必要な回路が含まれており、特に内蔵ＩＣチップ５１には個々の電子印鑑を識別可能なＩＤ番号が組み込まれている。このＩＤ番号は印鑑ごとに固有なデータであり同じものは存在しない。押印ボタン５２は押印時にクリックするのに用いられる。押印面５３は現実の紙の上に押印することも可能なものであり、名前が刻印されている。朱肉を付けて押印するか、インク内蔵タイプのものとするかは選択可能である。
【００１６】
パソコン３０で取得した電子印鑑５０のＩＤ番号、そして押印のイベントをインターネット９０を介して、電子印鑑認証サーバ１０に送る。電子印鑑認証サーバ１０は、データベース部１００、サーバ設定管理部１７０、電子印鑑登録管理部１８０及び電子印鑑認証部１９０とを有している。図８は、電子印鑑認証サーバのハードウェア構成を示す図である。データベース部１００はユーザマスタ１１０、アプリケーションマスタ１２０及びエクセル入出力部（図示は省略する。なお「エクセル」は米国マイクロソフト社の商標。）を含む。ユーザマスタ１１０はこのシステムを使用する者の会社名、部署、名前、役職、電話、メールアドレス、有効期限、パスワード（使う場合のみ）などのマスタ情報を登録する部分である。アプリケーションマスタ１２０は押印権限やワークフローに関する情報、回覧順に関する情報などを登録する部分である。ここで「ワークフロー」とは、稟議書や押印申請書などをその組織内の決められた手続に従って回覧、押印する流れのことをいう。エクセル入出力部はクライアントコンピュータとの間の入出力インターフェイスを司る部分である。
【００１７】
サーバ設定管理部１７０はサーバにアクセスする権限を有する者のみがアクセスし設定することができる部分である。この電子印鑑認証サーバを複数の会社で共用する場合もあるので階層的に管理者を特定してサーバの設定やデータベースのアクセス許可権限レベルを設定する。電子印鑑認証サーバ１０へのログインも電子印鑑を用いて行うことができる。電子印鑑登録管理部１８０は電子印鑑ＩＤ番号と印影情報を登録して管理する部分である。電子印鑑認証部１９０は電子印鑑認証サーバ１０が受信した電子印鑑ＩＤ番号とサーバに登録されている電子印鑑ＩＤ番号及びマスタ情報と一致しているか否かを照合し、一致していれば認証履歴をサーバへ書き込み、クライアントには押印許可を与え登録印影を送信する。押印許可を得たクライアントは受け取った印影を押印したファイルへ書き込む。ここで認証履歴とは会社コード、ユーザコード、サーバ番号、会社名、ユーザ名、認証種（電子印鑑かＩＤパスワードか、またはその両方のうちのいずれか）、受付日、受付時刻などを含む情報であって必要ならばクライアント側パソコンのＩＰアドレスやＭＡＣアドレスなどを含めることもできる。クライアントとサーバとの通信データは公開鍵を用いた暗号処理を行うことにより改ざんされるリスクを避けることができる。
【００１８】
次にある会社組織がこのシステムを導入した場合の電子印鑑認証サーバの動作を説明する。まずユーザの会社のシステム管理者が電子印鑑認証サーバへログインしてログイン画面で電子印鑑を押印して認証を受ける。その会社の利用者全員の電子印鑑のＩＤ番号とそれを使うユーザ情報を登録する。クライアントのパソコンにタブレットを接続し電子印鑑とその印影データを保管したフレキシブルディスクを準備する。管理者権限で電子印鑑認証サーバに接続しログインする（図１）。システム管理者が自分の電子印鑑をすでに登録している場合には自分の電子印鑑を押印欄に押す動作をすることによってログインが可能である。まだ登録してない場合にはＩＤとパスワードでログインすることになる。ログインが完了すればメニュー画面が現れる（図２）。今システム管理者がユーザ情報の登録を行うので図２のメニュー画面の中の「ユーザマスタ」のボタンを選択し、クリックするとユーザマスタの画面が現れる（図３）。ユーザマスタは、会社コード、会社名などの会社情報、ユーザコード、ユーザ名、電話番号、ファクシミリ番号、部署名、役職名、スーパーバイザーか否か、電子メールアドレス、ユーザＩＤとパスワード、有効期間、印影ＩＤ、登録の有無などのユーザの情報を設定、登録、管理などをする。ここでスーパーバイザーとは、会社閲覧権限の有無をいい、この権限を持つユーザのみ他のユーザに対しスーパーバイザー権限と会社閲覧権限を設定することができる。権限ないユーザがログインした場合はこの項目は表示されない。電子印鑑を新しく登録するにはユーザマスタの画面から「電子印鑑登録」のボタンを押して印影登録処理の画面に進む（図４）。
【００１９】
印影登録用のパスワードを入力してから登録することにより、印影登録処理がなされる。電子印鑑の中にあるＩＤチップのＩＤと印影情報が対応づけられて登録される。すでに登録済みの印影を削除する際は、図４の印影削除ボタンをクリックする。図２のメニュー画面でアプリケーションマスターのボタンを選択することにより、アプリケーションマスター画面が現れる（図５）。画面上部の会社名の欄でプルダウンボタンをクリックして会社を選択する。すると、選択した会社に登録されているアプリケーションが表示される。ここでアプリケーションとは、押印申請書、契約書管理、見積書デモ、社内業務、通販システム、テストシステムなどの当該会社で社内文書として通用しているものをいう。右上の欄には選択したアプリケーションに登録されているアプリフェーズが表示される。ここでアプリフェーズとは、係長、課長、総務受付、総務部長など、当該文書を承認する権限を有し押印すべき役職をいう。さらにその下の欄には選択したアプリフェーズに登録されているユーザが表示される。アプリフェーズのひとつひとつの役職に対応する人間がどのユーザなのかをユーザ名、会社名などを特定して表示する。選択されたアプリフェーズのユーザの有効期限を定めることができ、ユーザ名の下に表示される。右下には終了ボタンの隣に修正ボタン及び照会ボタンが設けられている。データを修正する必要があるときは修正ボタンを押して修正モードに変更する。デフォルトでは照会モードになっている。図２に示すメニューには、エクセル入出力ボタンが設けられているが、ユーザマスタの情報やアプリケーションマスタの情報を電子印鑑認証サーバの機能を用いて入力する以外に他のコンピュータでエクセル（米国マイクロソフト社の商標）の入力をしてファイル化したものを取り込むことも可能であり、また逆に電子印鑑認証サーバの機能を用いて入力した情報をエクセル出力して他のコンピュータに出力することも可能である。
【００２０】
図６は、電子印鑑認証サーバとクライアントパソコンとの基本プロトコルを示している。初期処理において押印処理を実行するクライアントパソコン側は公開鍵の情報を電子印鑑認証サーバから取得する。クライアントパソコンにＵＳＢケーブルなどで接続されたタブレットなどで電子印鑑を押印すると、クライアントパソコンは電子印鑑内部にあるチップＩＤが有するＩＤ情報を先ほど取得した公開鍵によって暗号化して電子印鑑認証サーバに送る。それを受け取った電子印鑑認証サーバでは、電子印鑑認証処理をユーザマスタやアプリケーションマスタを比較することによって実行する。クライアントパソコン側で押印イベントが発生すると、電子印鑑認証サーバ側ではその情報を取得して印影情報をクライアント側に送る。クライアント側はその印影情報を取得して画面上に押印した印影を表示させる。押印履歴情報についてもクライアント側と電子印鑑認証サーバ側とでやりとりされる。押印履歴情報とは、誰がいつどこでどの文書に押印したかを特定するための情報である。
【００２１】
図１０は、クライアントパソコン３０または３５が電子印鑑認証サーバ１０との協働により電子印鑑によるログイン処理を実行する際のフローを示したものである。まず初期処理がなされ、電子印鑑認証サーバから初期情報を取得する（電子印鑑認証サーバ１０はこのとき会社情報及び公開鍵をクライアントパソコンに返す）。クライアントパソコンを用いてユーザの誰かがログインのための押印動作をすると押印イベントが発生し、クライアントパソコンはその押印に用いられた電子印鑑のチップＩＤをタブレットを通じて取得する。初期処理で取得した公開鍵を用いて電子印鑑のチップＩＤを暗号化してファンクションコード及び付帯情報と共に電子印鑑認証サーバ１０に送る。電子印鑑認証サーバ１０は、受け取ったチップＩＤ（公開鍵で暗号化されたもの）とファンクションコードを元に当該ユーザがログイン権限を持っているかどうかを判断する。（このログイン権限の正当性の判断は暗号をかけた状態で比較するのが望ましい。ＩＤ番号を盗まれるリスクを回避するためである。）ログイン処理が正常に行われた場合は受付番号、印影情報、押印履歴情報をクライアントパソコンに返す。クライアントパソコンでは、印影情報及び押印履歴情報を取得してログイン画面に印影を表示する。
【００２２】
図１１は、クライアントパソコン３０または３５が電子印鑑認証サーバ１０との協働により電子印鑑による押印処理を実行する際のフローを示したものである。まずクライアントパソコン３０または３５に受付番号がセットされているかどうか判断する。されていた場合は、その受付番号をサーバに送る。電子印鑑認証サーバ１０は、受け取った受付番号を元に印影及び押印履歴情報をクライアントパソコン側に渡す。クライアントパソコン３０または３５は、サーバ側から印影及び押印履歴情報を取得し、押印文書の押印欄に既に押された印影を表示する。押印欄は通常複数あるので、その複数の押印欄のうちまだ受付番号がセットされていないものがあれば、図１０と同様に初期処理がなされ、電子印鑑認証サーバから初期情報を取得する（電子印鑑認証サーバ１０はこのとき会社情報及び公開鍵をクライアントパソコンに返す）。クライアントパソコンを用いてユーザの誰かが押印動作をすると押印イベントが発生し、クライアントパソコンはその押印に用いられた電子印鑑のチップＩＤをタブレットを通じて取得する。初期処理で取得した公開鍵を用いて電子印鑑のチップＩＤを暗号化してファンクションコード及び付帯情報と共に電子印鑑認証サーバ１０に送る。電子印鑑認証サーバ１０は、受け取ったチップＩＤ（公開鍵で暗号化されたもの）とファンクションコードを元に当該ユーザがログイン権限を持っているかどうかを判断する。ログイン処理が正常に行われた場合は受付番号、印影情報、押印履歴情報をクライアントパソコンに返す。クライアントパソコンでは、印影情報及び押印履歴情報を取得して押印文書に印影を表示する。
【００２３】
図１２には、認証サーバ管理権限を与えられた管理者がログインする処理を示すものである。図１０に示す一般利用者のログインとフローチャートはほとんど同じであるが、ファンクションコードの内容や、スーパーバイザー機能の違いなどがある。  
【００２４】
図１３は、クライアントパソコン３０または３５と、電子印鑑認証サーバ１０との協働により、印影登録処理を実行するフローである。図１１に示すフローと似ているが、電子印鑑認証サーバ１０において行われる処理が印鑑ＩＤ及び印影の登録処理である点が異なる。
【００２５】
図１４は、クライアントパソコン３０または３５がコンピュータネットワーク（インターネット又はイントラネット）を介して、電子印鑑認証サーバ１０及び文書管理サーバ２０と協働する様子を示した図である。クライアントパソコン３０または３５の内部には、押印文書作成手段６０があり、押印文書作成手段６０はエディタ及びライタを含んでいる。エディタは押印欄をテンプレート上に作成する機能を有する。押印文書作成手段６０は後述するように擬似プリンタをも有しており、一般的なワープロ文書や表計算ソフトの出力を擬似的なプリンタ上に出力してそれをテンプレート（押印欄を有するもの）とライタの機能により合体させて一つのファイル（ここではｂｗｂという拡張子を有するもの）を作り、電子押印文書を作成するものである。
【００２６】
電子印鑑により押印することとなる電子押印文書を作成するには、そのユーザは、押印文書作成手段６０がインストールされたクライアントパソコン３０または３５を用いる必要があるが、単に電子押印文書を閲覧し、押印するだけのユーザは押印文書作成手段６０を使わずに押印文書閲覧手段８０を用いればよい。押印文書閲覧手段８０は、文書の中身を修正することはできない。押印欄に押印履歴情報を付け加えたり印影を表示させたりすることができるものである。
【００２７】
図１５は、押印文書作成手段６０の有する３つの機能を表示した機能ブロック図である。初期設定、エディタ、ライタの３つの機能はそれぞれコンピュータプログラムによって実現されるものであって、コンピュータのＣＰＵがその時々に応じて他の機器と共に果たす機能を便宜上空間的に示したものである。
【００２８】
図１６は、図１４に示した文書管理サーバ２０の有する４つの機能を表示した機能ブロック図である。文書管理データベース２１０は、押印文書を様々な情報と関連付けて管理する部分である。押印状況管理手段２２０は、押印文書に押印すべき社内のワークフローがどこまで進んでいるかを管理する部分である。電子メール配信手段２３０は、次の押印すべき人に押印文書をメールに添付して送る機能を有する部分である。押印文書作成手段または電子印鑑認証サーバとの通信手段２４０は、インターネット又はイントラネットを介して他のコンピュータと通信する機能を有する部分である。
【００２９】
図１７は、クライアントパソコン３０または３５において押印処理を実行する際のフローチャートである。ステップ１７００で始まり、ステップ１７０５において印刷する。この印刷は前述したｂｗｂ文書を作成して画面に表示することを意味する。ステップ１７１０において図示しない電子印鑑認証サーバ１０とのやり取りの結果、ログイン処理がなされ、ログイン権限有りと認められたユーザーであることを前提にステップ１７１５に進む。ステップ１７１５では、この利用者が押印文書のワークフローやアプリフェーズなどの設定変更を希望する場合に、認証サーバからアプリフェーズを取得して（ステップ１７２０）ワークフロー設定画面にて設定変更処理を行う（ステップ１７３０）。そうしてできた押印文書が新規文書となる場合には（ステップ１７４０でＹＥＳ）の場合にはシリアル番号を生成し（ステップ１７４５）、文書管理サーバに情報を送信し、文書番号を取得し（ステップ１７５０）、ｂｗｂファイルにデータを書き込む（ステップ１７６０）。ステップ１７４０で新規文書ではないと判断された場合には、文書管理サーバに情報を送信し（ステップ１７５５）、ｂｗｂファイルにデータを書き込む（ステップ１７６０）。その結果新規文書となった場合または最終押印となった場合には文書管理サーバにｂｗｂファイルを送信して（ステップ１７６５）終了する（ステップ１７７５）。新規文書でもなく最終押印でもない場合は一旦処理が終了するが、次の押印者によりステップ１７００からの処理が繰り返される。
【００３０】
図１８は、サーバとクライアントパソコンとの間をインターネットまたはＬＡＮで結ぶ様子を示した図である。左側に文書管理サーバ２０と電子印鑑認証サーバ１０を描いてあり右側にクライアントパソコン３０及び３５を描いている。文書管理サーバ２０は押印文書を管理するサーバであって、文書管理機能のほかその押印文書が複数の人に承認して押印手続をしてもらう必要がある性格上、システム管理機能を持ち電子メールなどの通信を管理する機能を備えている。電子印鑑認証サーバ１０は、電子印鑑の認証、ＩＤパスワードの認証、マスタファイルの管理、文書番号の発行、管理を行うサーバである。この図では２つのサーバを分けて描いてあるが、１つのサーバコンピュータで両者の機能を併せ持つ実施例も可能である。クライアントパソコン３０は、押印文書作成手段６０を有するコンピュータであって、押印文書はこの機能を用いて作成される。クライアントパソコン３５は押印文書閲覧手段８０を有するコンピュータであって、押印文書を書き換える機能は持たないがその押印文書を承認すべき利用者が電子印鑑を用いて押印手続を行うのに用いられるコンピュータである。図１８に示すようにサーバ側とクライアントパソコン側とはデータトランスミットにはウェブサービスやＨＴＴＰプロトコルが用いられ、フレームワーク、ソープ（ＳＯＡＰ）などの通信プロトコルを用いてやりとりされる。
【００３１】
図１９は、クライアントパソコン３０で押印文書を作成する際のログイン画面である。押印文書を作成する者が、適切な権限を持っていることを電子印鑑認証サーバに問い合わせてマスタファイルとの照合などにより確認した上で文書作成許可を取得して作業を開始することになる。図２０は、押印文書の初期設定のうち基本設定をする画面を示している。用紙サイズの選択、カバーページの有無、有効期間、帳票形式、パスワードの設定を基本設定として設定する。有効期間とは、この押印文書が最終押印者の承認を得るまでどのくらいの期間を有するかを予測した上で設定される数値であって、その有効期間を過ぎれば、この文書に押印しようとしても押印できなくなる。帳票形式では普通伝票か複写伝票かを選択できる。普通伝票は、例えば請求書が複数枚あって、それに対してまとめて承認を受ける必要がある場合に用いる。複写伝票は、納品書、請求書、領収書などのように中身が同じで伝票の罫線の色とタイトルが違うなどの場合に用いられる。パスワードは、必要な場合に設定される機能であってパスワードを知らない押印者にこの文書を見せないために用いられる。基本設定の内容が決定したらＯＫボタンを押して確定させる。
【００３２】
図２１は、押印文書の初期設定のうち、サーバー設定の画面を示したものである。電子印鑑認証サーバのＵＲＬを記述することによりこの押印文書の文書番号の発行、押印された電子印鑑の認証、ＩＤパスワードの認証、マスタファイルの参照をすべきサーバコンピュータの特定がなされる。複数の会社に渡ってスーパーバイズする権限を持つ管理者が見る場合は、会社名はプルダウンボタンをクリックすることによって選択される。通常は１つの会社のみで押印文書のやりとりがなされるのでこのプルダウンボタンをクリックしてもその会社しか選択できない。アプリケーション名ではプルダウンボタンをクリックすることにより押印申請書、請求書、稟議書、事業計画書などその社内で定型的に用いられている社内文書の種類が選択できる。文書管理サーバのＵＲＬを記述することによって当該押印文書を保管すべきサーバコンピュータの特定がなされる。自動連番のチェックボタンをクリックすることにより文書番号の採番が自動的になされる。また押印の同期のチェックボタンをクリックすることにより、他の押印者による押印の事実が瞬時に反映される。この押印の同期は、文書番号を頼りになされる。文書管理サーバには、押印情報が集まるので、各クライアントパソコンにて文書を開いたとき、文書番号を頼りに文書管理サーバと同じ押印履歴情報として、電子押印文書に文書管理サーバ側と同じ押印になるようにクライアントパソコン側の電子押印文書にも印影を書き込む処理を実行する。図２１のサーバ設定の画面でＯＫボタンをクリックすることによって設定が確定される。
【００３３】
図２２は、押印文書に文書番号が付される様子を示した図である。押印文書が作成される過程においてクライアントパソコン３０と電子印鑑認証サーバ１０とのやり取りにより文書番号の取得がなされ、押印文書の右上などの適切な位置にそれが付される。文書管理サーバ２０においてもこの文書番号を頼りにしてデータベースが構築され、文書の管理がなされる。
【００３４】
図２３は、押印文書に押印すべき者が係長、課長、部長の３人である場合、３人がそれぞれ印鑑を押す際にサーバとのやりとりを行って押印権限を、電子印鑑認証サーバ１０において照合し押印文書中の押印履歴情報を書き換えて文書管理サーバ２０に保存することを示す図である。
【００３５】
図２４は、押印すべき押印者がクライアントパソコン３５（押印文書閲覧手段８０）を用いて押印手続を行おうとする際の文書管理サーバ２０及び電子印鑑認証サーバ１０とのやり取りを示す図である。ここでは押印文書の初期設定において押印の同期が選択されていないものとする。その場合、押印文書閲覧手段８０は文書管理サーバ２０へ印鑑情報を要求する。この押印文書に他人がした押印文書手続を反映させるためである。文書管理サーバ２０はそこに保存している押印文書において押印されている印鑑ＩＤ及び押印の受付番号をＣＳＶ形式でクライアントパソコン３５に返す。クライアントパソコン３５は当該押印文書に受領コードを書き込み対応する電子印鑑の印影情報を電子印鑑認証サーバ１０に要求する。電子印鑑認証サーバは対応する印影情報をクライアントパソコン３５に渡すと、クライアントパソコン側はそれを取得し押印文書にその印影を書き込む。これにより、クライアントパソコン３５の画面上に押印した印影が表示されるから紙の文書に押印するのと同等の使い勝手をもたらす。
【００３６】
図２５は、クライアントパソコン３５を用いて押印しようとする者がアプリケーションの内容に変更を加えようとする場合のフローチャートである。アプリケーションについて設定を変更しようとする内容（会社コード、アプリケーションコード、印鑑名、印鑑ＩＤ）を文書管理サーバ２０に送る。文書管理サーバ２０は、その情報をアプリケーションファイルに書き込む。
【００３７】
図２６は、押印文書閲覧手段８０を用いて押印者がまさに押印した場合のフローチャートを示す。当該押印文書がいまだに文書番号を取得していない初めての文書であった場合には、文書管理サーバ２０に対して文書番号を要求する。文書管理サーバ２０は、押印文書データベースに新規レコードを作成し、押印文書閲覧手段に文書番号を返す。押印文書閲覧手段８０はその文書番号を取得し押印文書に文書番号を登録する。押印した文書が初めての文書でなかった場合は文書閲覧手段８０は押印された情報を文書管理サーバに送信し、文書管理サーバ２０は押印情報を文書データベースのレコードに書き込む。
【００３８】
図２７は、図２０と同様に押印文書閲覧手段の初期設定を示す画面であるが、この例では会社コードやアプリケーションコードの設定も可能となっている実施例を示している。
【００３９】
図２８は、押印文書作成手段６０において押印文書のテンプレートの初期設定を行う場合にテンプレートとして３ページで構成されるものを作成し、３枚目以降を繰り返しを指定して普通伝票の設定を用いるケースを示した説明図である。押印文書作成手段６０は、後述するようにテキスト作成手段や図形作成手段を有しておりそれを用いて罫線や押印欄などを含むテンプレートを作成する機能を有する。図２８の左上に示す元になる書類はここでは見積書であって１枚目は表紙で２枚目は説明書きで３枚目と４枚目と５枚目が実際の見積書（この見積書には罫線や押印欄などは含まれていない。）である。そしてこの書類は一般的なワープロソフトまたは表計算ソフトで作成されたものとし、その電子ファイルも手元にある。押印文書作成手段６０は、図２８の左下に示すような３ページに渡るテンプレートを電子的に作成するものである。１枚目のテンプレートには押印欄が設けられ、必要ならば３枚目のテンプレートにも押印欄が設けられる。元になる書類をそれを作成するのに用いたプログラムを立ち上げた上で印刷メニューを選択し、プリンターとして現実のプリンターではなく押印文書作成手段６０が有する擬似印刷手段を出力先とすることによりここで作成したテンプレートと元になる文書とを合体させて１つのファイル（押印文書）として保存することが可能になる。こうして保存された押印文書はここではｂｗｂを拡張子とする電子ファイルであって、文書の内容は書き換えることができず押印に関する情報（押印履歴情報）のみを書き換えられるものである。今普通伝票の設定で３枚目以降繰り返しを指定した場合には、図２８の右側に示すように作成された電子押印文書においては３ページ目以降のページがテンプレートの３ページ目以降のデザインを適用して作成される。
【００４０】
図２９は、納品先、品名、数量、金額などが入力された１ページだけで構成される文書を元に請求書、納品書、受領書で構成される３枚綴りの請求納品書を作成する場合に複写伝票を選択して３枚複写を指定する場合を説明する図である。この場合、テンプレートは３ページから構成されるが、その各々はほぼ同じデザインを踏襲するものであってタイトルや罫線の色が異なるのみである。この設定で１ページからなる元の書類にテンプレートを適用すると作成される電子押印文書は３枚綴りの請求納品書のそれぞれに納品先、品名、数量、金額が読み込まれた文書として作られる。
【００４１】
図３０は、設計図などの元になる文書にカバーページを付ける場合を説明する図である。元になる書類は設計図だけであるが、テンプレートがカバーページとテンプレート１ページで構成され「カバーページ有り」、「普通伝票」、「１枚目以降繰り返し」を指定することにより図３０の右側に示すような電子押印文書が作成される。
【００４２】
図３１は、押印文書作成手段６０を起動してテンプレートを作成しようとする際に表示される初期画面である。図３１に示すように図形作成機能やテキスト編集機能などの通常図面を作成するための機能のほか印鑑を押す押印欄を作成する手段やそれに対応してワークフローを設定する手段などが含まれている。新規にテンプレートを作成しようとする際には図３１に示すように何等まだテンプレートが作られていない真っ白な状態で表示されるが、既成のテンプレートのファイルを開いたときには図３１に示す画面に作成済みのテンプレートが表示される。
【００４３】
図３２は、テンプレートを元になる文書と合体させないで単独で保存する場合の保存画面である。ここではテンプレートと名づけられたフォルダに請求納品書という名前で保存される場合を示しており、拡張子はｍｇｔとなっている。このように保存されたテンプレートは社内的に異なる部署でも使われる可能性がある汎用性の高いものである。また長期にわたって使う可能性のあるものである。
【００４４】
図３３は、電子押印文書を作る際に元になる文書（ワープロ文書や表計算シート）を作成したプログラムにおいて印刷メニューを選択しプリンタとして現実のプリンタではなく仮想的に作られた擬似プリンタ（ここではＢ２ｗｉｎＢ  Ｄｒｉｖｅｒ／Ｃ）に出力する操作を示す画面である。特にこの図では表計算ソフトの印刷出力画面となっている。この操作により元になる文書の印刷イメージがそれを作成したプログラムから独立した形で電子押印文書作成手段に取り込み可能なものとなる。図３４は、この擬似プリンタのプロパティの設定画面でありここではＡ４の横サイズで出力することを選んでいる。ここでＯＫボタンを押して印刷画面に戻りさらに印刷画面でＯＫボタンを押すと図３５が表示される。図３５は、テンプレートの選択画面である。前述したテンプレートフォルダに保存されているテンプレートが選択可能であり、今「請求納品書」が選択可能となっている。これを選択し選択ボタンをクリックすると、図３６の画面が表示される。図３６は、パスワードの入力画面であり今選択したテンプレートがパスワードを要求するものである場合にこの画面が表示される。正しいパスワードを入力してＯＫボタンを押すことにより元の文書と当該テンプレートの合体がコンピュータ上でなされてｂｗｂを拡張子とする電子押印文書のファイルが作成されることになる。図３７は、そのようにしてできるｂｗｂファイルの保存画面である。図３７においては、ファイル名が請求納品書サンプルイメージとなっている。
【００４５】
押印文書作成手段６０は、前述したように図面作成手段やテキスト作成手段や押印欄作成手段を有するものであるがテンプレート（拡張子がｍｇｔ）のファイルを読み込んで編集することができるのみならず、押印文書（拡張子がｂｗｂ）のファイルを読み込んで編集することもできる。その編集成果はテンプレートとしての保存もできるし押印文書としての保存もできる。テンプレートとして保存した場合には、ワープロソフトや表計算ソフトで作成された元の文書とは切り離されてテンプレートとして独立して保存される。まったくゼロからテンプレートを作成しようとする場合は、レイアウトなどを決めるために試行錯誤を必要とするから図３７では作業途中のものであることを示すために「請求納品書サンプルイメージ」としたものである。
【００４６】
図３８では、「請求納品書サンプルイメージ」という名前の押印文書（ｂｗｂファイル）を押印文書作成手段６０で開いた画面である。ここでは、まだテンプレートの中身ができていない状態で空のテンプレートであるために罫線も押印欄もない状態である。従ってワープロソフトまたは表計算ソフトで作成した文書イメージがそのまま表示されている。ただし、元の文書を作成したプログラムとは関係なくイメージとして表示されているだけであるから、その内容についての編集はできない。
【００４７】
図３８のｂｗｂファイルを一旦閉じて今度は「請求納品書」という名前のテンプレートファイルを編集して完成させるために開く。図３９は、押印文書作成手段６０がテンプレートファイルを開く画面である。図４０は、テンプレートファイルを開いた状態で更にさきほど作った「請求納品書サンプルイメージ」というｂｗｂファイルを開く画面である。押印文書作成手段６０は、このようにテンプレートファイルを開いた状態で更にｂｗｂファイルを開いて重ね合わせて表示することができる（図４１）。これによりワープロや表計算で作られた元の文書に適切なレイアウトを有するテンプレートの作成が可能になる。
【００４８】
図４２は、サンプルイメージを参照しつつ前述の図形作成手段やテキスト作成手段を用いてテンプレートを編集する様子を示した図である。図４３は、押印枠を作成する様子を示した図である。ここでは部長、課長、係長の３つの押印枠が作成されている。レイアウト機能や拡大縮小機能などを用いて全体的なデザインの調整が図られる。テンプレートの１ページ目が完成したら、必要に応じて２ページ目やカバーページなどの作成などもする。図４４は、テンプレートファイルのファイル情報である。ファイル名や作成日時、更新日時は自動的に入力される。管理の都合上必要ならばタイトルやコメント欄にそのテンプレートを識別する情報や説明する内容などを入れることができる。図４５は、完成させたテンプレートファイルのプレビュー表示画面である。出来上がりを確認した上で必要ならば印刷もできる。出来上がりを確認して問題なければ完成したテンプレートを保存する。このとき特にサンプルイメージを気にすることなくテンプレートの保存を実行すればテンプレートのみがサンプルイメージと切り離されて保存される。
【００４９】
図４６は、押印文書作成手段６０の有する印鑑メニューを説明する図である。押印枠は３つないし５つほど連ねて設けることが通常なされる。そこで３連、４連、５連などのメニューが準備されており例えば３連のメニューを選んで押印すべきスペースの左上に一旦マウスカーソルを落として押印すべきスペースの右下までドラッグすることによって自動的に３つの押印枠が作成される。それぞれの押印枠の中央には「押印」という文字が表示される。この押印という文字の表示は、その位置に押印者が押印すべきことを意味する。一旦作った上で再調整も可能である。
【００５０】
図４７は、押印枠の設定画面（印鑑ダイアログボックス）である。本発明においては押印枠は単に印鑑を押印するだけでなく、押印履歴情報（押印日時、場所などに関する情報）やワークフロー（回覧や押印の順番）の情報をも有するものである。押印枠を選択した上でプロパティを選択するかまたは押印枠をダブルクリックすることにより印鑑ダイアログボックスが表示される。「全体タブ」では作成する押印枠全体について押印者名の文字のフォント、押印枠の線の色、押印枠の線種を指定する。印鑑タブは、押印枠の数と同じだけ準備され、ここでは３連なので、印鑑１、印鑑２、印鑑３の３つのタブが準備されている。図４８は、印鑑タブの設定画面である。押印者名、押印欄に表示するキャプション等の設定である。ここで押印欄のキャプションとは、押印枠の中に表示する文字であって、例えばその押印者がワークフロー上押印できる場合に「押印」と表示し、承認ルートの前の順序の押印者がまだ押印していないためこの押印欄に押印できない場合に「未承認」と表示することをいいその表示する文字列をこの印鑑タブ設定画面で設定できる。従って、図４８で表示されている「押印」の部分に「印を押してください」とし、「未承認」のところに「まだ押せません」とすると電子押印文書の押印枠にその通りに表示されることになる。ワークフローの設定もこの画面でできる。ルートＡ、ルートＢなどの設定をするがそれについては別の図面を参照しつつ後述することにする。
【００５１】
図４９は、印鑑ダイアログボックスの印鑑タブでのワークフローの指定をする部分図である。図４９に示すようにプルダウンボタンによりＡからＺのアルファベットを選択する欄と数値を入力する欄の２つで構成される。アルファベットの指定は承認ルートのグループの指定であり、社内の部署の違いなどによりＡグループ、Ｂグループ、Ｃグループなどに分かれる。数値の指定は同一の承認ルートグループ内での承認順位をゼロから始まる数値で指定する。同じ承認ルートグループ内では、承認順位で指定した順序で承認が行われる。承認順位が前の人が押印しなければ後の順位の人は押印できない。複数の承認ルートグループが存在する場合は、それらの承認ルートグループは並行して動作する。つまりＡＢＣ３つのグループが存在する場合、それぞれの承認ルートで別々に承認が行われる。
【００５２】
図５０は、複数の押印者の誰から押印してもよく押印順序を指定しない場合の承認ルートグループ及び承認順位を示す図である。ここでは承認ルートグループはすべてＡに属し承認順位はすべてゼロとなっている。それに対応して押印枠には５つとも全部押印という文字が表示されている。押印可に対するキャプションが「押印」の文字表示と指定しているからである。図５１は、複数の押印者間で押印順序を指定する場合の承認ルートグループ及び承認順位を示す図である。係長、課長、部長の順に押印順序を指定するので承認順位が部長が２、課長が１、係長が０となっている。係長が押印しなければ課長は押印できない、課長が押印しなければ部長は押印できない。押印枠に表示される文字はまだ誰も押印していない状態では係長の押印枠のみが「押印」となっており、他の枠では「未承認」と表示される。承認ルートグループはすべて同じＡグループとなっている。次に図５２及び図５３を参照しつつ複数の承認ルートを設ける場合について説明する。営業の部署に１課と２課があり、営業部長、１課課長、２課課長、１課係長、２課係長、１課担当者、２課担当者がいるものとする。１課と２課で並行して承認を行いたい場合に図５３に示すように１課の承認ルートグループをＡグループ、２課の承認ルートグループをＢグループとし、承認順位は担当者を０、係長を１、課長を２、部長を３とし、部長の承認ルートグループは便宜上Ａとする。これにより、営業１課、営業２課それぞれ同時に並行して担当者、係長、課長の順に承認が行われ、１課、２課の課長が両方とも承認した後に営業部長の承認が行われる。初期段階では押印枠の中には１課担当者及び２課担当者のみ「押印」と表示され、他の押印枠には「未承認」と表示される。
【００５３】
図５４は、押印枠を一旦作成した後にその大きさの変更をする予想を示した図である。マウスによるクリックで押印枠を選択した状態ではその周辺の四隅と辺の中ほどにマウスで掴むことができるハンドル（小さい四角形）が表示される。それをドラッグすることにより大きさの調整が可能である。
【００５４】
図５５は、レイアウトの調整の画面である。作成した図形のうち調整したい図形あるいはテキスト、押印枠をクリックすることによって選択し、変更対象とすることができる。外見でなく属性の変更をしたい場合は、プロパティを選択することによって色や幅、文字のピッチなどの変更も可能である。図５６は、図形の属性を変更するためのプロパティ画面である。変更内容すべて入力してから適用ボタンを押して保存することにより、テンプレートが完成する。出来上がったテンプレートは適切な名前を付けてテンプレートフォルダに保存する。
【００５５】
図５７は、新たな押印文書の作成をするために元となる文書を表計算ソフトにより作成した画面を示す。元となる文書が完成したらその表計算ソフト上で印刷メニューを選択する。図５８は、表計算ソフトの印刷メニュー画面である。プリンタの選択をプルダウンボタンをクリックすることにより行い、あらかじめインストールされた擬似プリンタ（電子押印文書作成手段が用意した仮想的なプリンタドライバ）を選択する。プリンタ選択欄の隣にあるプロパティボタンをクリックするとその擬似プリンタのプロパティ画面が表示される（図５９）。紙のサイズ、縦か横かの設定をする。プロパティの設定が完了したら、ＯＫボタンを押して、印刷メニューに戻り、そこでＯＫをクリックするとテンプレート選択画面が現れる（図６０）。テンプレートフォルダに保存されているテンプレートが帳票名の欄に表示されているのでその中から必要な帳票を選んで選択ボタンをクリックする。選んだテンプレートにパスワードが設定されている場合は図６１に示すパスワード入力画面が現れ、正しいパスワードを入力してＯＫボタンをクリックすると元の文書とテンプレートとを合体する処理がなされる。こうしてできた電子押印文書に名前を付けて保存する（図６２）。ファイル名はテンプレート名の後に年月日、時刻を追加したものが自動生成される。必要があればこのファイル名を変えることができる。このファイルの拡張子はｂｗｂとなっている。
【００５６】
図６３は、出来上がった電子押印文書（ｂｗｂファイル）の押印欄の表示を示している。この例では係長の押印がされないと課長、部長の押印ができない設定であるので、部長と課長の欄は「未承認」と表示され、係長の欄は押印されることが期待されていることを示すために「押印」の文字及び「ＩＤ」「ＰＡＳＳ」の表示がなされている。このｂｗｂファイルを閉じると図６４のようなアイコンで表示される。係長が押印手続きをした後は、押印欄が図６５のように表示される。係長の押印欄には印影が表示され、課長の欄には「押印」の文字及び「ＩＤ」「ＰＡＳＳ」の表示がなされている。部長は課長の押印がなされなければ押印できないので「未承認」と表示がされている。
【００５７】
以上、押印文書作成手段６０を実際に使用する手順を追って説明してきたが、以下、電子押印文書作成手段６０の機能ブロック図を参照しつつ説明する。図６６は、押印文書作成手段６０の機能ブロック図である。押印文書作成手段６０は、テンプレート作成手段６１０、テンプレート保存手段６１７、擬似印刷手段６１６、電子印鑑認証サーバまたは文書管理サーバとの通信手段６５０、ワークフロー設定手段６１５を有する。テンプレート作成手段６１０は、罫線やタイトルや押印枠を作成する手段であって、テキスト作成手段６１１、図形作成手段６１２、押印欄作成手段６１３、レイアウト調整手段６１４などを有する。テキスト作成手段６１１は、文書のタイトルなどのテキストを入力、編集する手段である。図形作成手段６１２は多角形、円、楕円、直線などの作図機能を有するものであり、罫線などの作成もできる。押印欄作成手段６１３は、単に図形としての押印枠を作成するのみならず、ワークフロー設定手段６１５と協働して承認ルート、押印順序などを設定し、その情報を管理するための押印枠のプロパティ情報をも作成する。ワークフロー設定手段６１５は、押印権限や押印順序の設定にあたって必要に応じて電子印鑑認証サーバ又は文書管理サーバとの通信手段６５０を介してサーバー側の情報（ユーザマスタ、アプリケーションマスタ）を参照してワークフローに関する情報を生成する。レイアウト調整手段６１４は、テキスト、図形、押印枠などの図形のレイアウトを調整する手段である。
【００５８】
テンプレート保存手段６１７は押印文書作成手段６０で作成したテンプレート（罫線、押印枠などを含むもの）を元の文書とは切り離した独立の電子ファイルとして保存する手段である。前述したようにテンプレートはここではｔｍｇファイル（拡張子がｔｍｇのファイル）として保存される。ワープロソフトや表計算ソフトで作成された電子データにこのテンプレートを重ね合わせることによって押印文書が作成され、ここではｂｗｂファイル（拡張子がｂｗｂのファイル）として保存される。その重ね合わせの処理において重要な役割を果たすのが擬似印刷手段６１６である。擬似印刷手段６１６はプリンタドライバとしてコンピュータにインストールされるプログラムである。仮想的なプリンタであり、現実に紙に印刷するプリンタではない。表計算ソフトまたはワープロソフトを起動して必要な文書を読み込んだ状態で印刷メニューに入り、プリンタとしてこの擬似印刷手段６１６を選択し印刷を実行するとこの押印文書作成手段６０が起動し、テンプレートの選択を促す。そこで押印文書作成者がテンプレートを選択すると押印文書作成手段６０は元の文書とテンプレートとを合体する処理をする。そして電子印鑑認証サーバまたは文書管理サーバとの通信手段６５０を介して当該文書が保存される。
【００５９】
こうして保存された押印文書は、押印枠のプロパティとしてワークフローに関する情報を持っているので、文書管理サーバ２０はそのワークフローに従って押印すべきユーザに対して電子メールにファイルを添付するなどの手段により押印を促す処理をする。その後、前述したようにクライアントパソコン側と電子印鑑認証サーバ１０と文書管理サーバ２０との協働により押印手続きが進んでいくことになる。
【００６０】
図６７は、押印文書表示手段８２０の構成を示す機能ブロック図である。押印者のうち自らは押印文書を作成せず、押印手続きをするのみの者が用いるクライアントパソコンには押印文書作成手段６０をインストールする必要は無い。文書を閲覧し押印手続きを処理する手段である押印文書閲覧手段８０がインストールされればよい。押印文書閲覧手段８０は押印文書表示手段８２０と押印イベント取得手段８３０、印影表示手段８４０、電子印鑑認証サーバとの通信手段８５０を有する。押印文書表示手段８２０は押印を必要とする文書を表示する手段である。押印イベント取得手段８３０はクライアントパソコン３５に繋がるタブレット上で電子印鑑を押すイベントを取得する手段である。印影表示手段８４０は電子印鑑認証サーバ１０が持っている印影情報を取得し、それに基づいてクライアントパソコン側の押印文書に印影を表示する手段である。電子印鑑認証サーバとの通信手段８５０は電子印鑑ＩＤを公開鍵を用いて暗号化してやり取りしたり押印履歴情報や印影情報のやり取りをクライアントパソコンとサーバ側との間で実行する手段である。
【００６１】
以上述べた押印手続きでは、押印者は押印文書を閲覧してそれを承認するか否かの二者択一であることを前提としたがクライアントパソコン３５にはタブレットが繋がっており、タブレットから手書き線を入力することも可能なので、手書きコメントを追加した上で承認するというワークフローとする実施例も可能である。さらにこの手書きコメントの追加情報についても同期表示をすることが好ましい。すなわち、押印者の１人が手書きコメントを加えると同じ電子押印文書が回覧されている他のユーザにもその手書きコメント追加の情報が伝わりその電子押印文書を開いたときに修正された内容が表示される。
【００６２】
また、前述した押印手続きでは文書作成者が作成した押印枠の中にのみ押印することを前提としたが押印枠以外の自由な場所に何度でも押印して訂正印として使用する他の実施例も考えられる。この訂正印についても同様に同期表示をすることが望ましい。すなわち、訂正印を押したことに関する情報は文書管理サーバを通じて他の押印者にも伝わる。
【産業上の利用可能性】
【００６３】
押印申請書に本発明による電子印鑑で押印し認証を受けると、押印行為が認証履歴としてクライアント側で作成した押印欄に記録されるだけでなく、電子印鑑認証サーバにも同様に保存されるので、誰が何時押印したのか押印文書に明示できる。押印した履歴を保存明示できることから押印行為に対する押印者の押印責任を明確にすることができる。電子印鑑は紛失すればすぐに気付くことができるので、紛失中に押印された場合であってもすぐに認証履歴を調べることで悪用されたかどうかの調査が迅速にできる。本発明で使用する電子印鑑は、日常使用している印鑑の中にＩＣチップを埋め込むだけで製造できるものだから認印、銀行印、実印などの作成ができ、日常と同様な使い勝手で紙文書と同様な使い分けができる。また押印責任の明確化の上では紙文書による管理以上の効果が期待できる。完全なペーパレス化の実現が可能となる。
【図面の簡単な説明】
【００６４】
【図１】管理者権限で電子印鑑認証システムにログインする際のログイン画面である。
【図２】電子印鑑認証システムのメニュー画面である。
【図３】ユーザマスタの画面である。
【図４】印影登録処理の画面である。
【図５】アプリケーションマスタの画面である。
【図６】電子印鑑認証サーバとクライアントパソコンとの基本プロトコルを示す図である。
【図７】電子印鑑認証システムのハードウェア構成を示す図である。
【図８】電子印鑑認証サーバのハードウェア構成を示す図である。
【図９】電子印鑑５０を詳細に説明した図である。
【図１０】クライアントパソコンが電子印鑑認証サーバとの協働により電子印鑑によるログイン処理を実行する際のフローを示す図である。
【図１１】クライアントパソコンが電子印鑑認証サーバとの協働により電子印鑑による押印処理を実行する際のフローを示す図である。
【図１２】認証サーバ管理権限を与えられた管理者がログインする処理を示す図である。
【図１３】クライアントパソコンと、電子印鑑認証サーバとの協働により、印影登録処理を実行するフローチャートである。
【図１４】クライアントパソコンがコンピュータネットワーク（インターネット又はイントラネット）を介して、電子印鑑認証サーバ及び文書管理サーバと協働する様子を示した図である。
【図１５】押印文書作成手段の有する３つの機能を表示した機能ブロック図である。
【図１６】文書管理サーバの有する４つの機能を表示した機能ブロック図である。
【図１７】クライアントパソコンにおいて押印処理を実行する際のフローチャートである。
【図１８】サーバとクライアントパソコンとの間をインターネットまたはＬＡＮで結ぶ様子を示した図である。
【図１９】クライアントパソコンで押印文書を作成する際のログイン画面である。
【図２０】押印文書の初期設定のうち基本設定をする画面を示している図である。
【図２１】押印文書の初期設定のうち、サーバー設定の画面を示した図である。
【図２２】押印文書に文書番号が付される様子を示した図である。
【図２３】押印文書に押印すべき者が係長、課長、部長の３人である場合、３人がそれぞれ印鑑を押す際にサーバとのやりとりを行って押印権限を、電子印鑑認証サーバにおいて照合し押印文書中の押印履歴情報を書き換えて文書管理サーバに保存することを示す図である。
【図２４】押印すべき押印者がクライアントパソコンを用いて押印手続を行おうとする際の文書管理サーバ及び電子印鑑認証サーバとのやり取りを示す図である。
【図２５】クライアントパソコンを用いて押印しようとする者がアプリケーションの内容に変更を加えようとする場合のフローチャートである。
【図２６】押印文書閲覧手段を用いて押印者がまさに押印した場合のフローチャートである。
【図２７】押印文書閲覧手段の初期設定を示す図である。
【図２８】押印文書作成手段において押印文書のテンプレートの初期設定を行う場合にテンプレートとして３ページで構成されるものを作成し、３枚目以降を繰り返しを指定して普通伝票の設定を用いるケースを示した説明図である。
【図２９】納品先、品名、数量、金額などが入力された１ページだけで構成される文書を元に請求書、納品書、受領書で構成される３枚綴りの請求納品書を作成する場合に複写伝票を選択して３枚複写を指定する場合を説明する図である。
【図３０】設計図などの元になる文書にカバーページを付ける場合を説明する図である。
【図３１】押印文書作成手段６０を起動してテンプレートを作成しようとする際に表示される初期画面である。
【図３２】テンプレートを元になる文書と合体させないで単独で保存する場合の保存画面である。
【図３３】電子押印文書を作る際に元になる文書を作成したプログラムにおいて印刷メニューを選択しプリンタとして現実のプリンタではなく仮想的に作られた擬似プリンタに出力する操作を示す画面である。
【図３４】擬似プリンタのプロパティの設定画面である。
【図３５】テンプレートの選択画面である。
【図３６】パスワードの入力画面である。
【図３７】ｂｗｂファイルの保存画面である。
【図３８】「請求納品書サンプルイメージ」という名前の押印文書を押印文書作成手段で開いた画面である。
【図３９】押印文書作成手段がテンプレートファイルを開く画面である。
【図４０】テンプレートファイルを開いた状態で更にさきほど作った「請求納品書サンプルイメージ」というｂｗｂファイルを開く画面である。
【図４１】テンプレートファイルを開いた状態で更にｂｗｂファイルを開いて重ね合わせて表示した図である。
【図４２】サンプルイメージを参照しつつ前述の図形作成手段やテキスト作成手段を用いてテンプレートを編集する様子を示した図である。
【図４３】押印枠を作成する様子を示した図である。
【図４４】テンプレートファイルのファイル情報の表示画面である。
【図４５】完成させたテンプレートファイルのプレビュー表示画面である。
【図４６】押印文書作成手段の有する印鑑メニューを説明する図である。
【図４７】押印枠の設定画面である。
【図４８】印鑑タブの設定画面である。
【図４９】印鑑ダイアログボックスの印鑑タブでのワークフローの指定をする部分図である。
【図５０】複数の押印者の誰から押印してもよく押印順序を指定しない場合の承認ルートグループ及び承認順位を示す図である。
【図５１】複数の押印者間で押印順序を指定する場合の承認ルートグループ及び承認順位を示す図である。
【図５２】複数の承認ルートを設ける場合の押印枠を示す図である。
【図５３】複数の承認ルートを設ける場合の承認ルートグループ及び承認順位を示す図である。
【図５４】押印枠を一旦作成した後にその大きさの変更をする予想を示した図である。
【図５５】レイアウトの調整の画面である。
【図５６】図形の属性を変更するためのプロパティ画面である。
【図５７】新たな押印文書の作成をするために元となる文書を表計算ソフトにより作成した画面である。
【図５８】表計算ソフトの印刷メニュー画面である。
【図５９】擬似プリンタのプロパティ画面である。
【図６０】テンプレート選択画面である。
【図６１】パスワード入力画面である。
【図６２】電子押印文書の保存画面である。
【図６３】出来上がった電子押印文書の押印欄を示す図である。
【図６４】ｂｗｂファイルのアイコンを示す図である。
【図６５】係長が押印手続きをした後の押印欄を示す図である。
【図６６】押印文書作成手段６０の機能ブロック図である。
【図６７】押印文書表示手段８２０の構成を示す機能ブロック図である。
【符号の説明】
【００６５】
１０  電子印鑑認証サーバ
２０  文書管理サーバ
３０，３５  パソコン
４０  タブレット
５０  電子印鑑
５１  内蔵ＩＣチップ
５２  押印ボタン
５３  押印面
６０  押印文書作成手段
８０  押印文書閲覧手段
９０  インターネット
１００  データベース部
１１０  ユーザマスタ
１２０  アプリケーションマスタ
１７０  サーバ設定管理部
１８０  電子印鑑登録管理部
１９０  電子印鑑認証部
２１０  文書管理データベース
２２０  押印状況管理手段
２３０  電子メール配信手段
２４０  押印文書作成手段または電子印鑑認証サーバとの通信手段
６１０  テンプレート作成手段
６１１  テキスト作成手段
６１２  図形作成手段
６１３  押印欄作成手段
６１４  レイアウト調整手段
６１５  ワークフロー設定手段
６１６  擬似印刷手段
６１７  テンプレート保存手段
８２０  押印文書表示手段
８３０  押印イベント取得手段
８４０  印影表示手段
８５０  電子印鑑認証サーバとの通信手段
【図１】
0004584608.tif 000002
【図２】
0004584608.tif 000003
【図３】
0004584608.tif 000004
【図４】
0004584608.tif 000005
【図５】
0004584608.tif 000006
【図６】
0004584608.tif 000007
【図７】
0004584608.tif 000008
【図８】
0004584608.tif 000009
【図９】
0004584608.tif 000010
【図１０】
0004584608.tif 000011
【図１１】
0004584608.tif 000012
【図１２】
0004584608.tif 000013
【図１３】
0004584608.tif 000014
【図１４】
0004584608.tif 000015
【図１５】
0004584608.tif 000016
【図１６】
0004584608.tif 000017
【図１７】
0004584608.tif 000018
【図１８】
0004584608.tif 000019
【図１９】
0004584608.tif 000020
【図２０】
0004584608.tif 000021
【図２１】
0004584608.tif 000022
【図２２】
0004584608.tif 000023
【図２３】
0004584608.tif 000024
【図２４】
0004584608.tif 000025
【図２５】
0004584608.tif 000026
【図２６】
0004584608.tif 000027
【図２７】
0004584608.tif 000028
【図２８】
0004584608.tif 000029
【図２９】
0004584608.tif 000030
【図３０】
0004584608.tif 000031
【図３１】
0004584608.tif 000032
【図３２】
0004584608.tif 000033
【図３３】
0004584608.tif 000034
【図３４】
0004584608.tif 000035
【図３５】
0004584608.tif 000036
【図３６】
0004584608.tif 000037
【図３７】
0004584608.tif 000038
【図３８】
0004584608.tif 000039
【図３９】
0004584608.tif 000040
【図４０】
0004584608.tif 000041
【図４１】
0004584608.tif 000042
【図４２】
0004584608.tif 000043
【図４３】
0004584608.tif 000044
【図４４】
0004584608.tif 000045
【図４５】
0004584608.tif 000046
【図４６】
0004584608.tif 000047
【図４７】
0004584608.tif 000048
【図４８】
0004584608.tif 000049
【図４９】
0004584608.tif 000050
【図５０】
0004584608.tif 000051
【図５１】
0004584608.tif 000052
【図５２】
0004584608.tif 000053
【図５３】
0004584608.tif 000054
【図５４】
0004584608.tif 000055
【図５５】
0004584608.tif 000056
【図５６】
0004584608.tif 000057
【図５７】
0004584608.tif 000058
【図５８】
0004584608.tif 000059
【図５９】
0004584608.tif 000060
【図６０】
0004584608.tif 000061
【図６１】
0004584608.tif 000062
【図６２】
0004584608.tif 000063
【図６３】
0004584608.tif 000064
【図６４】
0004584608.tif 000065
【図６５】
0004584608.tif 000066
【図６６】
0004584608.tif 000067
【図６７】
0004584608.tif 000068